(57)【要約】      （修正有）【課題】室内の換気を良好に行うことができ、屋根の棟部分や屋根と外壁との接合部などに設けられた通気口に存在する寸法誤差を効果的に吸収することにより、取り付け作業を容易に行うことができると共に、埃や虫等の侵入を効果的に防止することが可能な建築物用換気プレートを提供する。【解決手段】建築物用換気プレート２０は、建築物の一部に取り付けられて建築物内から建築物外への換気を行う建築物用の換気プレートにおいて、建築物の所定箇所に取り付けられる平板状の基板２５と、当該基板の表面に固着された厚さが調節自在な３次元細繊維フィルター２６とを具備したことを特徴とする。【選択図】図１
2007070944.tif 000002
【特許請求の範囲】
【請求項１】
建築物の一部に取り付けられて建築物内から建築物外への換気を行う建築物用の換気プレートにおいて、
建築物の所定箇所に取り付けられる平板状の基板と、当該基板の表面に固着された厚さが調節自在な３次元細繊維フィルターとを具備したことを特徴とする建築物用換気プレート。
【請求項２】
３次元細繊維フィルターが不織布である請求項１に記載の建築物用換気プレート。
【発明の詳細な説明】
【技術分野】
【０００１】
この発明は、切り妻型屋根などの建築物の棟や壁面等に設置され、小屋裏や室内の換気を行うために好適な建築物用換気プレートに関し、特に、建築物の壁面内等に設けた通気層を介して小屋裏等の建築物内と建築物外との換気が可能であり、しかも、外部から室内側に雨や雪、或いは埃、虫、鳥等の異物が侵入するのを防止することが可能な建築物用通気プレートに関するものである。
【背景技術】
【０００２】
従来、一般家屋等の建築物においては、外壁と内壁との間に、ポリスチレンフォームやポリウレタンフォーム或いはガラスファイバー等の断熱材を配置し、室外と室内との断熱性を向上させ、暖房効率や冷房効率を高めるように構成されている場合が多い。そのため、上記一般家屋等の建築物では、室内と室外との通気性が低下して、室内の湿度が高くなりやすく、室内の壁面などに結露や黴などが発生する虞れを有していた。
【０００３】
そこで、近年の建築物では、特に、暖房器具を長期間使用する寒冷地などにおいて、空気の自然対流を利用して、室内の湿った空気を外部に排出して換気するために、断熱材の外側に通気層を設け、屋根と外壁との接合部に通気口を配し、屋根の棟部分や屋根と外壁との接合部などに設けられた通気口を介して、建物内の空気や湿気を外部に排気するように構成した屋根裏換気装置が設けられている場合が多い。
【０００４】
ところで、この種の屋根換気装置に関する技術としては、例えば、特許第２６１０３４２号公報等に開示されているものがある。この特許第２６１０３４２号公報に係る棟カバー部材は、屋根の棟に取り付けられて室内から室外への二枚の板状の棟換気部材からなりその断面形状が略逆Ｖ字形を呈する如く構成され、各棟換気部材は上面から下面に向かって先細に形成されると共に、各棟換気部材には一側面から他側面まで多数の連通した通気孔が設けられるようにプラスティック等の素材により構成したものである。
【０００５】
上記特許第２６１０３４２号公報に係る棟カバー部材は、屋根の表面に沿って棟部から下方に流れる気流によって、棟換気部材の下側面が負圧となり、当該棟換気部材の上側面の通気孔から室内の空気を吸引して、室外に排気する作用を奏し、軒換気部材としても機能するものである。
【０００６】
【特許文献１】特許第２６１０３４２号公報
【発明の開示】
【発明が解決しようとする課題】
【０００７】
しかしながら、上記従来技術の場合には、次のような問題点を有している。即ち、上記特許第２６１０３４２号公報に係る棟カバー部材の場合には、二枚の板状の棟換気部材からなり、各棟換気部材には一側面から他側面まで多数の連通した通気孔が設けられるようにプラスティック等の素材により構成されているため、その厚さが一定に決まってしまい、例えば、ガラスウール等の断熱材の表面に透湿防水シートを張設し、当該透湿防水シートが表面に張設された断熱材と外壁材との間の間隙による通気口にこれを配置する際に、防水通気プレートの厚さと、断熱材及び外壁材との間隙とが一部分においてでも異なると、両者の間に隙間が発生してしまい、埃や虫等の侵入を防止するという所期の目的が達成できなくなってしまうのである。
【０００８】
又、かかる問題点を防止するためには、厚みの異なる部材を複数種類用意して、断熱材と外壁材との間隙に適合したものを使用することも考えられるが、この場合には、厚みの異なる部材を複数種類製造してストックする必要があるため、製造コストがアップするという問題点を有している。
【０００９】
更に、上記問題点を防止するために、棟カバー部材に他の板材を張り付けるなどして、断熱材と外壁材との間隙との寸法誤差を調節することも考えられるが、この場合には、作業工数が大幅に増加するという別の問題点を有していた。
【００１０】
そこで、この発明は、上記従来技術の問題点を解決するためになされたものであり、その目的とするところは、室内の換気を良好に行うことができ、しかも、室外から雨や雪、埃、或いは虫などの異物が室内に侵入するのを確実に防止することができるのは勿論のこと、屋根の棟部分や屋根と外壁との接合部などに設けられた通気口に存在する寸法誤差を効果的に吸収することにより、取り付け作業を容易に行うことができると共に、埃や虫等の侵入を効果的に防止することが可能な建築物用換気プレートを提供することにある。
【課題を解決するための手段】
【００１１】
この発明は、建築物の一部に取り付けられて建築物内から建築物外への換気を行う建築物用の換気プレートにおいて、建築物の所定箇所に取り付けられる平板状の基板と、当該基板の表面に固着された厚さが調節自在な３次元細繊維フィルターとを具備したことを特徴とする建築物用換気プレートである。
【００１２】
上記３次元細繊維フィルターとしては、例えば、不織布製のフィルターが用いられる。又、この３次元細繊維フィルターは、当該３次元細繊維フィルターが他の部材に当接することによって厚さが調整される。
【発明の効果】
【００１３】
この発明によれば、室内の換気を良好に行うことができ、しかも、室外から雨や雪、埃、或いは虫などの異物が室内に侵入するのを確実に防止することができるのは勿論のこと、屋根の棟部分や屋根と外壁との接合部などに設けられた通気口に存在する寸法誤差を効果的に吸収することができ、取り付け作業を容易に行うことができると共に、埃や虫等の侵入を効果的に防止することが可能な建築物用換気プレートを提供することができる。
【発明を実施するための最良の形態】
【００１４】
以下に、この発明の実施の形態について図面を参照して説明する。
【００１５】
実施の形態１
図１乃至図３はこの発明の実施の形態１に係る建築物用通気プレートを適用した建築物としての一般家屋の壁面を示す概略構成図である。
【００１６】
図２において、１は建築物としての一般家屋を示すものであり、この家屋１は、大別して、側壁２で囲まれた室内３の上部に、屋根４を葺いて構成されている。尚、室内３の天井５と屋根４との間は、小屋裏６となっている。上記壁面２は、図２乃至図４に示すように、コンクリート製の基礎７の上に、２本の気密パッキン材８を介して土台用の横木９を横設し、当該横木９上の四隅などに柱材１０が立設されると共に、これらの柱材１０の間に間柱１１が立設されて構成されている。又、上記柱材１０と間柱１１及び間柱１１同士の間には、図５に示すように、ガラスウール等の断熱材１２が配置され、室外１３と室内６との断熱性を向上させるようになっている。上記ガラスウール等の断熱材１２の室内側の表面には、防湿・気密シート１４が張設された後、当該防湿・気密シート１４の表面に、石膏ボード等の壁面材１５が取り付けられる。図５中、符号１６は床材を示している。
【００１７】
尚、図６及び図７に示すように、コンクリート製の基礎７と横木９との間に、気密パッキン材８を介在させないように構成しても良い。
【００１８】
更に、上記ガラスウール等の断熱材１２の室外側の表面には、図５に示すように、透湿・防水シート１７が張設された後、外壁材２１が取り付けられ、壁面２の下部に形成される所定の間隙（例えば、１８ｍｍ）の開口部１８には、本実施の形態に係る建築物用通気プレート２０が装着されている。又、上記透湿・防水シート１７の表面は、図８及び図９に示すように、縦方向に沿って配置された縦胴縁１９によって固定されている。
【００１９】
更に、上記壁面２の下部には、透湿・防水シート１７の外側又は内側に、所定の形状に折り曲げられた平板状の水切り金物２２が、横木９の外側に配設された縁材２３の外側からコンクリート製基礎の上端部に到る位置までを覆うように配置されている。
【００２０】
ところで、本実施の形態に係る建築物用通気プレートは、建築物の一部に取り付けられて建築物内から建築物外への換気を行う建築物用の換気プレートにおいて、建築物の所定箇所に取り付けられる平板状の基板と、当該基板の表面に固着された厚さが調節自在な３次元細繊維フィルターとを具備するように構成されている。
【００２１】
又、上記３次元細繊維フィルターとしては、例えば、不織布製のフィルターが用いられるように構成されている。
【００２２】
即ち、本実施の形態に係る建築物用通気プレート２０は、図１に示すように、建築物の所定箇所に取り付けられる平板状の基板２５を備えている。この基板２５は、例えばポリプロピレン（ＰＰ）やアクリル等の合成樹脂によって、ダンボール状に射出成形等によって形成されていて、長期間の使用でも腐敗等が無いようになっている。尚、耐火性その他の性能が要求される場合は、セラミック、アルミやスチール等によって基板２５を形成しても、一体的に射出成形等によって形成せずに、施工現場等で基板を形成してもよい。
【００２３】
尚、上記基板２５としては、例えば、特許第２６７７３１９号公報に開示されている吸排ガラリと呼ばれる、厚さ３ｍｍ程度の板状部材（商品名「プラパール」など）が用いられる。
【００２４】
本発明の建築物用通気プレート２０の基板２５は、以下に説明する３次元細繊維フィルター２６が有する取扱いや数量の確認或いは梱包についての難を解消するためのものであると共に、施行時等の切断が簡便となるように、例えば、厚さが３ｍｍ、幅が３５ｍｍ、長さが１８２０ｍｍに形成され、取り付け箇所に応じて、適宜所定の長さに切断されて使用される。
【００２５】
又、基板２５の表面には、厚さ２０ｍｍの３次元細繊維フィルター２６が接着等の手段によって固着されている。この３次元細繊維フィルター２６は、基板表面の全幅にわたって設けてもよいが、図示の実施の形態では、基板の幅方向の一端（下端）側に、２０ｍｍの幅にわたって設けられており、他の基板表面には、３次元細繊維フィルター２６が設けられていない。この３次元細繊維フィルター２６が設けらずに露出した基板２５表面の部分は、建築物用通気プレート２０を取り付ける際に、釘を打ち付けるためなどに使用される。尚、３次元細繊維フィルター２６は、基板２５の全幅にわたって設けるように構成しても良い。
【００２６】
上記３次元細繊維フィルター２６としては、例えば、不織布製の３次元細繊維フィルターが用いられるが、これに限定されるものではない。上記３次元細繊維フィルター２６としては、例えば、溶融させた合成樹脂を、細いノズルから水中に曳糸することにより、合成樹脂製の糸状部材の一部が互いに接着されて、３次元の不織布状ふとんの綿状に形成された弾性変形が可能な素材で、例えば、旭化成（株）社製のサランロック（登録商標）を用いることもできる。この３次元細繊維フィルター２６は、例えば空間率が９５％程度、比表面積６００〜７４０ｍ2／ｍ3に設定されたものであるが、合成樹脂製の糸状部材の太さ（デニール）や嵩密度、或いは空間率を変更することにより、種々のものが製造可能であり、所望の特性を有するものが適宜選択され、使用される。尚、耐火性その他の性能が要求される場合は、セラミック、アルミやスチール等によって３次元細繊維フィルター２６を形成してもよい。
【００２７】
以上の構成において、この実施の形態に係る建築物用通気プレート２０では、次のようにして、室内の換気を良好に行うことができ、しかも、室外から雨や雪、埃、或いは虫などの異物が室内に侵入するのを確実に防止することができるのは勿論のこと、断熱材と外壁材との間の間隙による通気口に寸法誤差が存在する場合であっても、当該寸法誤差を効果的に吸収することができ、取り付け作業を容易に行うことができると共に、埃や虫等の侵入を効果的に防止することが可能となっている。
【００２８】
即ち、この実施の形態に係る建築物用通気プレート２０は、例えば図５に示すように、断熱材１２が充填され、透湿・防水シート１７が全面に張設された壁面２の下部に取り付けられる。この建築物用通気プレート２０は、図３及び図４に示すように、基板２５における３次元細繊維フィルター２６が設けられていない部分を、釘３０等によって透湿・防水シート１７と共に、横木９に打ち付けることによって、壁面２の下部に設けられた開口部１８を閉塞するように配置される。その際、上記建築物用通気プレート２０は、基板２５が横木９側に位置し、３次元細繊維フィルター２６が外壁材２１側に位置するように配設される。
【００２９】
そして、上記壁面２の室外側には、図８及び図９に示すように、透湿・防水シート１７と所定の間隙を介して外壁材２１が敷設され、壁面２が完成される。その際、上記開口部１８は、建築物用通気プレート２０の３次元細繊維フィルター２６が外壁材２１によって押圧されることで、透湿・防水シート１７と外壁材２１との間隙にばらつきがあっても、当該間隙のばらつきは、３次元細繊維フィルター２６が弾性変形して吸収されるため、透湿・防水シート１７と外壁材２１との間に隙間が発生するのを確実に防止することが可能となる。
【００３０】
又、上記３次元細繊維フィルター２６は、通気性を有しており、しかも室外１３から雨や雪、埃、或いは虫などの異物が室内に侵入するのを確実に防止することができる。
【００３１】
このように、上記実施の形態に係る建築物用通気プレート２０では、室内６の換気を良好に行うことができ、しかも、室外１３から雨や雪、埃、或いは虫などの異物が室内に侵入するのを確実に防止することができるのは勿論のこと、断熱材１２と外壁材２１との間の間隙に存在する、乾燥や施工者の技量に起因する寸法誤差を効果的に吸収することができ、取り付け作業を容易に行うことができると共に、埃や虫等の侵入を効果的に防止することが可能となっている。
【００３２】
上記実施の形態１では、本発明の建築物用通気プレート２０を断熱材１２と外壁材２１との間の間隙に配設したが、本発明の建築物用通気プレートの適用部位はこれに限られず、例えば軒用の通気プレート等、室内の換気を行い、且つ、室外から雨や雪、埃、或いは虫などの異物が室内に侵入するのを防止することが要求される部位であれば、何の変更も無しに適用することができる。
【００３３】
即ち、図２に２０’で示したように、本発明の建築物用通気プレートは、軒換気にも利用することができる他、いわゆる無落雪屋根における棟、軒換気にも利用することができる。
【図面の簡単な説明】
【００３４】
【図１】図１はこの発明の実施の形態１に係る建築物用換気プレートを示す外観斜視図である。
【図２】図２はこの発明の実施の形態１に係る建築物用換気プレートを用いた家屋を示す概略構成図である。
【図３】図３はこの発明の実施の形態１に係る建築物用換気プレートを用いた家屋を示す概略構成図である。
【図４】図４はこの発明の実施の形態１に係る建築物用換気プレートの中空基体を示す斜視図である。
【図５】図５はこの発明の実施の形態１に係る建築物用プレートの中空基体の基材を示す断面図である。
【図６】図６はこの発明の実施の形態１に係る中空基体の切欠部を示す断面図である。
【図７】図７はこの発明の実施の形態１に係る建築物用換気プレートの切欠部を示す斜視図である。
【図８】図８はフィルター部材を示す外観斜視図である。
【図９】図９はこの発明の実施の形態１に係る建築物用換気プレートの他の例を示す斜視図である。
【符号の説明】
【００３５】
２０：建築物用通気プレート、２５：基板、２６：３次元細繊維フィルター。
【図１】
2007070944.tif 000003
【図２】
2007070944.tif 000004
【図３】
2007070944.tif 000005
【図４】
2007070944.tif 000006
【図５】
2007070944.tif 000007
【図６】
2007070944.tif 000008
【図７】
2007070944.tif 000009
【図８】
2007070944.tif 000010
【図９】
2007070944.tif 000011